(57)【要約】【課題】  浴室の洗い場に浴室マットを敷設した場合であっても、洗い場に段差を生じさせることのなく、その上、洗い場に対して滑ってしまうのを確実に防止できる浴室マットを提供する。【解決手段】  浴室の洗い場１の一部に浴室マット８収容用の凹部２を設け、該凹部２内に浴室マット８を配設する。この浴室マット８を配設した状態において、浴室マット８上面と洗い場１の凹部２以外の部分とが略面一状となるようにした。【選択図】        図１
2010174455.tif 000002
【特許請求の範囲】
【請求項１】
浴室の洗い場の一部に浴室マット収容用の凹部を設け、該凹部内に浴室マットを配設し、浴室マット上面と洗い場の凹部以外の部分とが略面一状に形成されて成ることを特徴とする浴室洗い場の床構造。
【請求項２】
前記浴室マットは不撓性板材から成り、凹部の底面を凹部の底面に設けてある排水部に向けて傾斜する傾斜面とし、凹部の底面と浴室マットとの間に支持部を部分的に設け、凹部内に浴室マットを配設した状態で浴室マットの上面を略水平とすると共に浴室マットと凹部底面との間に排水用の排水空所を設けて成ることを特徴とする請求項１記載の浴室洗い場の床構造。
【発明の詳細な説明】
【技術分野】
【０００１】
本発明は、浴室の洗い場に浴室マットを敷設した浴室の洗い場の床構造に関するものである。
【背景技術】
【０００２】
従来から、冷えて冷たくなった浴室の洗い場に入浴者の足裏が直接触れるのを防ぐためのものとして、例えば、特許文献１により示す浴室マットが知られている。この特許文献１により示される浴室マットは、厚み方向に複数層重ね合わせて積層し、この積層したものの裏面に滑り止め処理を施すようになっており、このような複数層に積層した浴室マットを、浴室内における洗い場の一部にただ単に載置して敷設するようにしていた。
【先行技術文献】
【特許文献】
【０００３】
【特許文献１】特開２００１−１６１５７７号公報
【発明の概要】
【発明が解決しようとする課題】
【０００４】
ところで、近年になっていわゆるバリアフリー住宅に対する要請が強くなり、当然のことながら浴室においてもバリアフリー化が進んでいるのであるが、例えば浴室においては、浴室の洗い場と浴室に隣接する脱衣室とに段差を設けないようにして、高齢者や要介護者等に対しても安全に浴室を使用できるようにしたものが多い。
【０００５】
しかしながら、このようなバリアフリー化した浴室であっても、特許文献１に示すような浴室マットを敷設した場合には、この浴室マットの厚みによって入浴者が躓いてしまうこともあり危険であった。すなわち、上記特許文献１のような浴室マットは、何層にも重ね合わせて積層してあり、厚みを有するものとなっているため、入浴者がその厚みにより足先を引掛けて転倒してしまうケースが多数生じていた。
【０００６】
さらに、上記のように従来は、単に載置して設置する浴室マットの裏面に滑り止め処理を施すことで、洗い場に対して浴室マットを滑らないようにしようとしているが、確実に滑り止め効果を発揮できるものとはなっておらず、浴室マットが滑ってしまうという危険を完全に払拭できるものとはなっていなかった。
【０００７】
本発明は、上記従来の問題に鑑みてなされたものであり、その目的とするところは、浴室の洗い場に浴室マットを敷設した場合であっても、洗い場に段差を生じさせることなく、その上、洗い場に対して滑ってしまうのを確実に防止できる浴室マットを提供することにある。
【課題を解決するための手段】
【０００８】
上記課題を解決するために本発明は以下の構成を備えている。
【０００９】
すなわち、請求項１に係る発明にあっては、浴室の洗い場１の一部に浴室マット８収容用の凹部２を設け、該凹部２内に浴室マット８を配設する。この浴室マット８を配設した状態において、浴室マット８上面と洗い場１の凹部２以外の部分とが略面一状となるようにした。
【００１０】
このように構成したことで、浴室の洗い場１に浴室マット８を敷設した場合であっても、浴室マット８と洗い場１とに段差が生じることがないため、入浴者が躓くことがない。しかも、凹部２内に浴室マット８を配設したから、滑り止め処理を施した浴室マット８でなくとも、この浴室マット８自体が洗い場１上で滑ってしまうことを確実に防ぐことができる。
【００１１】
また、請求項２に係る発明にあっては、請求項１に係る発明において、前記浴室マット８は不撓性板材から成り、凹部２の底面を凹部２の底面に設けてある排水部３に向けて傾斜する傾斜面とし、凹部２の底面と浴室マット８との間に支持部４を部分的に設ける。そして、凹部２内に浴室マット８を配設した状態で、浴室マット８の上面を略水平とすると共に、浴室マット８と凹部２底面との間に排水用の排水空所６を設けるようにした。
【００１２】
このように構成したことで、請求項１に係る効果に加えて、浴室マット８の上面を略水平な状態に保った上で、排水の滞留防止のための勾配を設けることができて、洗い場１における排水効率を向上させることができる。
【発明の効果】
【００１３】
本発明によれば、洗い場に厚みのある浴室マットを敷設したとしても、浴室マットと洗い場とで段差が生じずに、その上、浴室マット自体も洗い場上を滑ることもないため、高齢者や要介護者が浴室を使用するに当たっても、安全に浴室を使用することができるようになる。
【図面の簡単な説明】
【００１４】
【図１】本発明の一実施形態であり（ａ）は上面図であり、（ｂ）は（ａ）図におけるｂ−ｂ矢視断面図である。
【図２】同上の浴室マットを取り外した状態の上面図である。
【発明を実施するための形態】
【００１５】
以下、本発明について添付図面に基づいて説明する。
【００１６】
本実施形態は、本発明の浴室の一例として浴室ユニットを用いている。本実施形態の浴室ユニットは、浴槽７を設置する浴槽用床パン７２と浴室の洗い場１を構成する洗い場床パン１ａとで構成される床パンの周囲に、壁パネル（図示せず）及びドアを有する出入り口枠（図示せず）を立設し、壁パネル及び出入り口枠で囲まれた部分の上端部に天井パネル（図示せず）を配設して構成してある。また、浴槽用床パン７２上には浴槽７が載設してあり、洗い場床パン１ａと浴槽用床パン７２との境界と、浴槽７のフランジ７１との間には、エプロン７３が配設されており、このエプロン７３は洗い場床パン１ａの長手方向の全長に亘って形成されている。また、洗い場床パン１ａ上には、浴室マット８が敷設されており、本実施形態の浴室マット８は、図１（ａ）に示すように、洗い場床パン１ａの長手方向に３つ並んで設置されている。
【００１７】
本実施形態の洗い場１は、ＦＲＰ（Fiber Reinforced Plastics）製の洗い場床パン１ａによって構成されており、図１（ａ）及び図２に示すように、平面視長矩形状の洗い場床パン１ａとなっている。この洗い場床パン１ａは、洗い場１の床面となる基底部５と、この基底部５から凹没させて浴室マット８を収容する凹部２と、凹部２の底面に部分的に設けられた支持部４と、凹部２の底面に固設された排水部３とを備えている。
【００１８】
この洗い場床パン１ａにおける基底部５は、図１（ａ）及び図２に示すように、洗い場床パン１ａの長手方向の両端部に設けられており、浴室に隣接する脱衣室の床面と略面一（つまり略同一高さ）となっている。また、この基底部５は、中央に設けられた凹部２に向けて僅かな勾配が形成されている。
【００１９】
凹部２は、洗い場床パン１ａに設けられた基底部５以外の部分である洗い場床パン１ａの長手方向の略中央部に短手方向の略全長に亘って形成されている（つまり、洗い場床パン１ａの一部に設けられている）。この凹部２の底面の長手方向の中間部分であって、且つ、浴槽７側の側辺に沿って排水部３が形成されており、凹部２の底面はこの排水部３に向けて傾斜する傾斜面となっている。具体的には、凹部２内に流入した湯水が、図２の矢印Ａに示すように、排水部３に向けて流れるような勾配が設けられており、洗い場床パン１ａ上に湯水が滞留しないようになっている。
【００２０】
支持部４は、凹部２内に部分的に複数形成されており、凹部２の外縁に形成された外縁支持部４１と、凹部２底面の中央近傍から上方に向けて突出して設けられた内支持部４４とを備えている。
【００２１】
外縁支持部４１は、凹部２の外周縁に沿って複数設けられており、各外縁支持部４１は、水平面となり浴室マット８が載置される載置面４１１と、この載置面４１１と略直交し浴室マット８の外周端縁と当接又は近接対向する立側面４１２とを備えている。本実施形態においては、浴槽７側（すなわち、凹部２の深さが深い側）の外縁支持部４１を深側支持部４２として、凹部２の長手方向の辺の全長に亘って形成してあり、一方、その浴槽７側の辺と対向する辺（すなわち、凹部２の深さが浅い側）の外縁支持部４１を浅側支持部４３として、深側支持部４２よりも長手方向に短く形成された一対の浅側支持部４３を、凹部２の長手方向に沿って複数組並ぶように形成している（本実施形態では、一対の浅側支持部４３が凹部２の長手方向に沿って３組並んで形成されている）。さらに、この深側支持部４２は、排水部３に近づく程幅が狭くなるように形成されており、水滴がこの深側支持部４２に沿って排水部３に流入し易いようになっている。
【００２２】
内支持部４４は、図１（ａ）及び図２に示すように、上面を水平面とし浴室マット８が載置される載置面４１１を備えている。本実施形態においては、平面視略矩形状の内支持部４４の各辺のうち、凹部２の勾配の上方側の辺を、凹部２の勾配方向（つまり、勾配の上流から下流に向かう方向）に沿う方向に平面視において傾けて形成してあり、水滴がこの内支持部４４の基部によりせき止められて滞留しにくいようになっている。
【００２３】
このような外縁支持部４１の載置面４１１と、内支持部４４の載置面４１１とは同じレベルで形成されており、この各載置面４１１と、洗い場床パン１ａの基底部５（詳しくは、基底部５と凹部２との連設部位）との間の寸法は、浴室マット８の厚みと略同じ長さとなっている。
【００２４】
排水部３は、有底箱状で上方が開口した排水受部３１のその開口を、洗い場床パン１ａの凹部２の底面と連続するようにして固設し、この排水受部３１の底面に排水開口３２が穿設してある。そして、この排水開口３２の下方に図示しない排水トラップが設置されており、排水トラップを介して排水部３と排水管とを連通接続させる構造となっている。
【００２５】
以上のように構成された洗い場床パン１ａの凹部２内には、浴室マット８が嵌め込まれて設置される。
【００２６】
この浴室マット８は、小型の小マット８１を複数並設することで全体を構成してあり、本実施形態においては、３つ並設することで構成されている。この浴室マット８は、不撓性板材から構成されており、例えばＰＰ（polypropylene）が好適に使用される。また、この浴室マット８は、深側支持部４２の立側面４１２と、これに対向する浅側支持部４３の立側面４１２との間で、且つ、洗い場床パン１ａの凹部２の長手方向の両端にある外縁支持部４１の各立側面４１２間に収まるような大きさに形成される。さらに言えば、本実施形態の浴室マット８には、畳調の模様を施すことで浴室内に和の雰囲気を醸し出すようになっており、良好な外観を呈するような工夫もなされている。また、小マット８１の短辺側の側面には、配設した状態の小マット８１を指先で引掛けて取り外すための凹没部（図示せず）が設けられている。
【００２７】
ところで、この浴室マット８は不撓性板材としているが、ここでいう不撓性とは、浴室マット８が全く撓むことがないことを意味するものではなく、入浴者がこの浴室マット８上に乗った場合であっても、浴室マット８の形状が保持できるようなものを意味している。つまり、浴室マット８上には通常負荷されないような荷重が与えられた場合に撓むのはもちろんであり、また、入浴者が浴室マット８上に乗った際に、若干の撓みが生じるような場合でも、ここでは不撓性の範疇に含まれるとしている。
【００２８】
このような浴室マット８を、洗い場床パン１ａの凹部２内に配設するに当たっては、小マット８１ごとに凹部２内に収容するようにしていく。つまり、各小マット８１は、外縁支持部４１の載置面４１１と、内支持部４４の載置面４１１とで支持されて、洗い場床パン１ａの凹部２内に収まる。このとき、小マット８１を並設して構成した浴室マット８の上面と、洗い場床パン１ａの基底部５（つまり、洗い場床パン１ａの凹部２以外の部分）とが略面一状で、且つ、浴室マット８の上面が略水平となる。
【００２９】
このように本実施形態の洗い場床パン１ａは、浴室マット８を敷設しても洗い場床パン１ａ上に段差が生じないように形成してあるから、例えば高齢者などが脚を引掛けて躓くといったことを無くすことができる。しかも、浴室マット８の上面は略水平となっているから、仮に、高齢者や要介護者を洗うに当たって浴室用の椅子を使用した場合であっても、安定して浴室用椅子を載置することができるため、より一層安全なものとなる。
【００３０】
また、上記のように支持部４を部分的に設けてあるので、浴室マット８を凹部２内に配設したときには、図１（ｂ）に示すように、浴室マット８の下面（すなわち、浴室マット８と凹部２底面との間）に、空所となる排水空所６が形成される。すなわち、配設された浴室マット８の裏側の洗い場床パン１ａの凹部２には傾斜面が形成されておりこの排水空所６を湯水が通流するから、この洗い場床パン１ａの凹部２に水が滞留してしまうこともなく、カビやヌメリの発生も極力減らすことができる。
【００３１】
さらに、浴室マット８の外周端縁は、各外縁支持部４１の立側面４１２に当接又は少なくとも対向するようになっているため、少なくともこの外縁支持部４１の立側面４１２の外側の厚み（つまり、立側面４１２と凹部２の外縁との間の厚み）分の隙間９を形成することになる。この隙間９から、洗い場床パン１ａの凹部２の底面に向けて湯水を流し入れることができるため、浴室マット８を配設しても排水効率を低下させることがない。
【００３２】
また、浴室マット８を取り外すに当たっては、小マット８１毎に取り外していくのであるが、上記のように、浴室マット８の外周端縁と凹部２側壁との間には隙間９を形成しているから、その隙間９に指を挿通し、指先で小マット８１の外側面にある凹没部を引掛けて持ち上げることで、簡単に小マット８１を取り外すことができる。そのため、洗い場床パン１ａの凹部２内の清掃も容易に行なうことができる。
【００３３】
また、図１（ａ）に示すように、３つ並んで設置した小マット８１のうち、中央の小マット８１と隣接する一方の小マット８１、並びに、中央の小マット８１と他方の小マット８１、とで内支持部４４を共用するように構成してあり、すなわち浴室マット８を支持するのに必要な支持部の数を減らしてコストを削減するという工夫もなされている。
【００３４】
しかも、従来のように、滑り止め処理をした浴室マット８は滑り止め効果が確実に発揮できるとはいえず、浴室マット８が洗い場床パン１ａ上を滑るという危険を完全に取り払うことができるものではなかった。しかしながら、本実施形態のように、浴室マット８を洗い場床パン１ａの凹部２に埋没させるように構成すれば、浴室マット８が洗い場床パン１ａに対して滑ってしまうということも生じ得ない。つまり、浴室マット８に滑り止め加工を施す必要がないため浴室マット８を効率良く量産できる上に、滑り止め加工を施さなくとも浴室マット８が滑るという危険を確実に無くすことができる。
【００３５】
本実施形態における支持部４は洗い場床パン１ａの凹部２に固設したものであるが、かかる構成は本実施形態に限定されるものではなく、例えば、この支持部４を浴室マット８の下面から下方に向けて突設し、その支持部４の下面を傾斜面に形成することで、浴室マット８の上面を略水平にすると共に、この浴室マット８の上面と洗い場床パン１ａの基底部５（つまり、洗い場床パン１ａの凹部２以外の部分）とが略面一状となるように構成したり、また、支持部４を洗い場床パン１ａや浴室マット８とは別体の部品として構成したりしても、もちろんよい。
【００３６】
以上、本発明の浴室洗い場の床構造を、浴室ユニットの洗い場床パン１ａに基づいて説明したが、浴室は浴室ユニットでなくても本発明を適用することができるのはもちろんであり、つまり、浴室は浴室ユニットに限定されるものではない。また、浴室マット８の部材はＰＰ製のものに限られず、不撓性の板材であれば本発明と同様の効果を発揮することができる。もちろん、洗い場床パン１ａの材質もＦＲＰに限定されるものではない。
【符号の説明】
【００３７】
１      洗い場
１ａ    洗い場床パン
２      凹部
３      排水部
３１    排水受部
３２    排水開口
４      支持部
４１    外縁支持部
４１１  載置面
４１２  立側面
４２    深側支持部
４３    浅側支持部
４４    内支持部
５      基底部
６      排水空所
７      浴槽
７１    フランジ
８      浴室マット
８１    小マット
９      隙間
【図１】
2010174455.tif 000003
【図２】
2010174455.tif 000004